(57)【要約】【課題】本発明は、低コストで組み立ての簡単な分電盤用キャビネット１の取り付け金具６の構造を提供することを目的としている。【解決手段】本発明に係る分電盤用キャビネットの取り付け金具の構造は、キャビネット１の背面２に、少なくとも一辺に曲げ部４を形成した略矩形の受け金具３を溶接し、受け金具３に対向する固定部７に取り付け用ねじの挿通孔１０を設けた取り付け部８を突設した取り付け金具６を重ね置き、ボルト１１により固定すると共に、取り付け金具６は四方いずれにも取り付け部８を突設できるように、ボルト１１を緩めることにより、取り付け金具６が回転可能であることを特徴とする。【選択図】図１
2005340320.tif 000002
【特許請求の範囲】
【請求項１】
各種電気機器を収納し仮設スタンドやパイプ、柵等に取り付けて用いる分電盤用キャビネットの取り付け金具の構造であって、前記キャビネットの背面に、少なくとも一辺に曲げ部を形成した略矩形の受け金具を溶接し、該受け金具に対向する固定部に取り付け用ねじの挿通孔を設けた取り付け部を突設した取り付け金具を重ね置き、ボルトにより固定すると共に、前記取り付け金具は四方いずれにも前記取り付け部を突設できるように、前記ボルトを緩めることにより、前記取り付け金具が回転可能であることを特徴とする分電盤用キャビネットの取り付け金具の構造。
【請求項２】
前記分電盤用キャビネットの取り付け金具の構造であって、該取り付け金具には筒形状部を形成し、該筒形状部にフックを挿通し、前記分電盤用キャビネットの取り付け方法に合わせて、前記フックを回動可能とすることを特徴とする請求項１に記載の分電盤用キャビネットの取り付け金具の構造。
【発明の詳細な説明】
【技術分野】
【０００１】
本発明は、各種電気機器を収納し仮設スタンドやパイプ、柵等に取り付けて用いる分電盤用キャビネットの取り付け金具の構造に関するものである。
【背景技術】
【０００２】
仮設盤に用いられるキャビネットは取り付け取り外しの手間を省くため、パイプに引っ掛けることがあった。キャビネットの背面にフック等の別部品を取り付け、設置していた。
【０００３】
または、キャビネットの背面に取り付け部品を固定し、取り付け部品とパイプとを番線で縛り付けて設置していた。
【特許文献１】実公平６−２００７号公報
【特許文献２】実公平３−１９２５０号公報
【発明の開示】
【発明が解決しようとする課題】
【０００４】
しかしながら、別部品の製作に費用がかかるということ、部品点数が増え、部品管理に手間がかかるということ、部品の紛失の虞が高まるということ、部品の組み立てに手間と時間がかかってしまうことなど、欠点があった。
【０００５】
また、番線で縛り付けるキャビネットではその作業に手間と時間がかかっていた。取り付け取り外しの手間を極力抑えたいにもかかわらず、番線をほどくのにも手間がかかると共に、番線が廃棄物となってしまう。
【課題を解決するための手段】
【０００６】
本発明は、低コストで組み立ての簡単な分電盤用キャビネットの取り付け金具の構造を提供することを目的とし、その構造は、キャビネットの背面に、少なくとも一辺に曲げ部を形成した略矩形の受け金具を溶接し、受け金具に対向する固定部に取り付け用ねじの挿通孔を設けた取り付け部を突設した取り付け金具を重ね置き、四方いずれにも取り付け部を突設可能であることを特徴とする。
【０００７】
また、同じ部材でそれぞれの取り付け方法に対応できる本発明は、キャビネットの背面に、少なくとも一辺に曲げ部を形成した略矩形の受け金具を溶接し、受け金具に対向する固定部に取り付け用ねじの挿通孔を設けた取り付け部を突設した取り付け金具を重ね置き、ボルトにより固定すると共に、取り付け金具は四方いずれにも取り付け部を突設できるように、ボルトを緩めることにより、取り付け金具が回転可能であることを特徴とする。
【発明の効果】
【０００８】
本発明の分電盤用キャビネットの取り付け金具の構造では、キャビネットを取り付けるためのパイプの方向や、作業のしやすさから、取り付け金具の取り付け部を突設させる方向が容易に変更できるという利点がある。
【０００９】
また、フックが受け金具に対して回動可能であるため、パイプに引っ掛けるなど、フックを使用してキャビネットを取り付けるときのみフックを起こし、フックを使用しないときはフックを倒しておくことができる。
【発明を実施するための最良の形態】
【００１０】
キャビネットの様々な設置方法に同じ部品で対応するという目的を、最小の部品点数で、作業性の良さを損なわずに実現した。
【実施例１】
【００１１】
本発明に係る分電盤用キャビネットの取り付け金具の構造の第一実施例を図１〜図３の添付図面に基づいて説明する。
【００１２】
キャビネット１は、仮設スタンドや渡したパイプ、柵等にボルトや番線で固定する。キャビネット１の背面２に受け金具３を溶接等により固定する。受け金具３は略矩形で少なくとも一辺に曲げ部４が形成され、略中央にはボルト挿通孔５が設けられている。
【００１３】
受け金具３には、取り付け金具６を重ね置く。取り付け金具６は、受け金具３の形状に対向する固定部７に取り付け部８を折曲形成により突設させる。固定部７は図２に示すように縦ａ＝横ｂとなるように形成し、また固定部７には受け金具３に設けられているボルト挿通孔５に対向させてボルト挿通穴９を形成し、取り付け部８には取り付け穴１０を設けている。
【００１４】
受け金具３に取り付け金具６の固定部７を対向させボルト挿通穴９とボルト挿通孔５にそれぞれボルト１１を挿通し、取り付け金具６を取り付ける。取り付け部８に設けた取り付け穴１０にボルト１１を挿通してパイプに固定したり、番線を挿通してパイプに縛り付け、キャビネット１を設置する。受け金具３に設けられた曲げ部４は取り付け金具６の回転止めの役割を担い、取り付け金具６をボルト１１で固定した状態で不用意に回転しないようになっている。また、ボルト１１を緩め、受け金具３の曲げ部４の高さまで、取り付け金具６の固定部７を上昇させ、曲げ部４の上方で取り付け金具６が回転可能である。ボルト１１を緩めるだけの作業で、取り付け金具６の取り付け部８を四方いずれにも突設可能である。キャビネット１を取り付けるためのパイプの高さに合わせて、取り付け部８の向きを変更できる。
【実施例２】
【００１５】
本発明に係る分電盤用キャビネットの取り付け金具の構造の第二実施例を図４〜図５の添付図面に基づいて説明する。
【００１６】
取り付け金具１２の一端に筒形状部１３を設ける。筒形状部１３にはＵ字状またはコ字状のフック１４を挿通する。取り付け金具１２にはボルトや番線でキャビネット１５がパイプに固定できるように取り付け部１６に取り付け穴１７を設けると共に、さらにフック１４を設けることによって、パイプに引っ掛けても、キャビネット１５が設置可能である。
【００１７】
取り付け金具１２は、キャビネット１５の取り付け方法によって都合の良い方向に取り付け部１６を突出可能であるように回転させて取り付け直すことができる。
【００１８】
ボルトや番線によりキャビネット１５を設置する場合にはフック１４は不要なので倒して、キャビネット１５に密接させて収納でき、キャビネット１５の設置の邪魔にならない。また、パイプに引っ掛けてキャビネット１５を設置する場合には、取り付け金具を、フック１４を起こした状態の時にパイプに引っ掛けられる方向に回転させ、フック１４を起こして用いる。
【産業上の利用可能性】
【００１９】
キャビネットに設けられた取り付け金具は簡単な構造で、ボルトを緩めるだけで取り付け方向が変更でき、組み立てを簡単に行いたい仮設盤等への用途に適用できる。
【図面の簡単な説明】
【００２０】
【図１】分電盤用キャビネットの取り付け金具の構造を示す説明図である。（実施例１）
【図２】分電盤用キャビネットの取り付け金具の構造を示す説明図である。（実施例１）
【図３】分電盤用キャビネットの取り付け金具の構造を示す説明図である。（実施例１）
【図４】分電盤用キャビネットの取り付け金具の構造を示す説明図である。（実施例２）
【図５】分電盤用キャビネットの取り付け金具の構造を示す説明図である。（実施例２）
【符号の説明】
【００２１】
１    キャビネット
２    背面
３    受け金具
４    曲げ部
５    ボルト挿通孔
６    取り付け金具
７    固定部
８    取り付け部
９    ボルト挿通穴
１０  取り付け穴
１１  ボルト
１２  取り付け金具
１３  筒形状部
１４  フック
１５  キャビネット
１６  取り付け部
１７  取り付け穴
【図１】
2005340320.tif 000003
【図２】
2005340320.tif 000004
【図３】
2005340320.tif 000005
【図４】
2005340320.tif 000006
【図５】
2005340320.tif 000007